(57)【特許請求の範囲】
【請求項１】
表示範囲内における異なる位置で表示される第１刺激視標及び第２刺激視標と、前記第１刺激視標と第２刺激視標とを結ぶ第３刺激視標と、を表示する表示手段と、
前記第１刺激視標を被験者の一方の眼により視認させ、前記第２刺激視標を被験者の他方の眼により視認させ、前記第３刺激視標を被験者の両眼により視認させる両眼分離手段と、
被験者に操作され、前記第３刺激視標が前記第１刺激視標から第２の刺激視標へ伸びたことを回答する操作、又は、前記第３刺激視標が前記第２刺激視標から第１の刺激視標へ伸びたことを回答する操作が行われる操作手段と、
前記第１刺激視標及び前記第２刺激視標を前記表示手段に表示させた後に、前記第３刺激視標を前記表示手段に表示させる表示制御手段と
を備えることを特徴とする優位眼検査装置。
【請求項２】
前記表示制御手段は、前記第１刺激視標と前記第２刺激視標の表示様式を個別に設定する表示様式設定機能を更に備え、前記表示様式設定機能で設定された前記第１刺激視標と前記第２刺激視標を表示し、更に前記第１刺激視標と前記第２刺激視標の表示様式を補間するように前記第３刺激視標を表示すること
を特徴とする請求項１に記載の優位眼検査装置。
【請求項３】
前記表示制御手段は、前記第１刺激視標及び前記第２刺激視標と、前記第３刺激視標との表示時間間隔を任意に設定できる機能を更に備え、前記第１刺激視標及び前記第２刺激視標を表示した後に、任意の時間間隔で前記第３刺激視標を表示させること
を特徴とする請求項１又は請求項２に記載の優位眼検査装置。
【請求項４】
前記表示制御手段は、前記第１刺激視標と前記第２刺激視標とを結ぶ中間位置に被験者が固視をする固視視標を表示する機能を更に備え、
前記第１刺激視標と前記第２刺激視標と共に前記固視視標を表示させた後に、前記第３刺激視標を表示させること
を特徴とする請求項１乃至請求項３の何れか一項に記載の優位眼検査装置。
【発明の詳細な説明】
【技術分野】
【０００１】
本発明は、被験者の優位眼を検査する優位眼検査装置に関する。
【背景技術】
【０００２】
従来より、被験者の優位眼を検査する技術として、下記の特許文献１に記載された発明が知られている。特許文献１には、利き眼を調べるための専用の器具を準備することなく、簡単に被検者の利き眼を調べることができる遮眼具が記載されている。具体的には、視線を遮断する遮眼具に蓋で覆われた貫通孔が設けられ、蓋を動かして貫通孔を開けば貫通孔を利用して優位眼を調べることができる。
【先行技術文献】
【特許文献】
【０００３】
【特許文献１】特開２０１０−１８７７８６号公報
【発明の概要】
【発明が解決しようとする課題】
【０００４】
しかしながら、特許文献１に記載された優位眼の検査方法では、眼に対する丸い穴の位置関係による影響や、視覚機能による影響を受けてしまう場合がある。
【０００５】
そこで、本発明は、上述した実情に鑑みて提案されたものであり、短時間且つ簡便に、被験者の優位眼を診断できる優位眼検査装置を提供することを目的とする。
【課題を解決するための手段】
【０００６】
上記の課題を解決する第１の発明に係る優位眼検査装置は、表示範囲内における異なる位置で表示される第１刺激視標及び第２刺激視標と、前記第１刺激視標と第２刺激視標とを結ぶ第３刺激視標と、を表示する表示手段と、前記第１刺激視標を被験者の一方の眼により視認させ、前記第２刺激視標を被験者の他方の眼により視認させ、前記第３刺激視標を被験者の両眼により視認させる両眼分離手段と、被験者に操作され、前記第３刺激視標が前記第１刺激視標から第２の刺激視標へ伸びたことを回答する操作、又は、前記第３刺激視標が前記第２刺激視標から第１の刺激視標へ伸びたことを回答する操作が行われる操作手段と、前記第１刺激視標及び前記第２刺激視標を前記表示手段に表示させた後に、前記第３刺激視標を前記表示手段に表示させる表示制御手段とを備えることを特徴とする。
【０００７】
第１の発明に係る優位眼検査装置であって、第２の発明は、前記表示制御手段が、前記第１刺激視標と前記第２刺激視標の表示様式を個別に設定する表示様式設定機能を更に備え、前記表示様式設定機能で設定された前記第１刺激視標と前記第２刺激視標を表示し、更に前記第１刺激視標と前記第２刺激視標の表示様式を補間するように前記第３刺激視標を表示することを特徴とする。
【０００８】
第１又は第２の発明に係る優位眼検査装置であって、第３の発明は、前記表示制御手段が、前記第１刺激視標及び前記第２刺激視標と、前記第３刺激視標との表示時間間隔を任意に設定できる機能を更に備え、前記第１刺激視標及び前記第２刺激視標を表示した後に、任意の時間間隔で前記第３刺激視標を表示させることを特徴とする。
【０００９】
第１乃至第３の発明の何れかに係る優位眼検査装置であって、第４の発明は、前記表示制御手段が、前記第１刺激視標と前記第２刺激視標とを結ぶ中間位置に被験者が固視をする固視視標を表示する機能を更に備え、前記第１刺激視標と前記第２刺激視標と共に前記固視視標を表示させた後に、前記第３刺激視標を表示させることを特徴とする。
【発明の効果】
【００１０】
本発明によれば、第３刺激視標が伸びたように錯視したことを回答させる検査手法により、優位眼で受けた刺激を優先して脳が処理することによる人間の特性を利用でき、短時間且つ簡便に、被験者の優位眼を診断できる。
【図面の簡単な説明】
【００１１】
【図１】本発明の実施形態として示す優位眼検査装置の構成を示す図である。
【図２】本発明の実施形態として示す優位眼検査装置における刺激視標の表示画面を示す図であり、（ａ）は第１刺激視標と前記第２刺激視標を表示したときの表示画面、（ｂ）が第３刺激視標を表示したときの表示画面、（ｃ）が被験者の第３刺激視標の見え方、を示す。
【図３】立体視ディスプレイと視点との関係を示す斜視図である。
【図４】立体視ディスプレイと視点との関係を示す上面図である。
【発明を実施するための形態】
【００１２】
以下、本発明の実施の形態について図面を参照して説明する。
【００１３】
本発明を適用した優位眼検査装置は、被験者の優位眼を検査するものである。ここで、人間の眼において、一方の眼が他方の眼に対して優位に立つ現象が存在しており、優位眼（利き目）があることが知られている。両眼で物を見たときに、その物を認識するために主として使われる側の眼が利き眼（優位眼）である。
【００１４】
本発明を適用した優位眼検査装置は、例えば図１に示すように構成される。この優位眼検査装置は、表示制御手段としての制御装置２と、両眼分離手段としての立体視ディスプレイ１と立体視メガネ３と、操作手段としての操作部４とを含む。
【００１５】
制御装置２は、表示範囲内における異なる位置に表示される第１刺激視標及び第２刺激視標と、前記第１刺激視標と第２刺激視標とを結ぶ第３刺激視標と、を表示制御する。立体視ディスプレイ１は、制御装置２と接続されている。両眼分離手段、つまり立体視ディスプレイ１と立体視メガネ３は、第１刺激視標を被験者の一方の眼により視認させ、第２刺激視標を被験者の他方の眼により視認させ、第３刺激視標を被験者の両眼により視認させることが可能であり、両眼分離手段は、制御装置２から供給された第１刺激視標、第２刺激視標及び第３刺激視標を両眼分離する。つまり、両眼分離手段は、制御装置２により制御される。
【００１６】
なお、図１に示す例では、立体視ディスプレイ１と立体視メガネ３を使用しているが、プロジェクタとスクリーンで構成される立体視表示手法で実現しても良い。また、レンチキュラー方式の裸眼立体視ディスプレイを使用してもよい。
【００１７】
立体視ディスプレイ１は、第１刺激視標を被験者の一方の眼のみから視認可能に表示させ、第２刺激視標を被験者の他方の眼のみから視認可能に表示させ、第３刺激視標を被験者の両眼から視認可能に表示させる。
【００１８】
立体視メガネ３は、被験者に装着され、第１刺激視標を被験者の一方の眼により視認させ、第２刺激視標を被験者の他方の眼により視認させ、第３刺激視標を被験者の両眼により視認させる。
【００１９】
両眼分離方式として時分割方式を採用した場合、立体視メガネ３の左眼部分及び右眼部分を液晶シャッタとする。制御装置２は、第１刺激視標、第２刺激視標及び第３刺激視標の表示タイミングと、立体視メガネ３の右眼部分及び左眼部分の液晶シャッタの動作タイミングとを同期させる。制御装置２は、被験者の左眼に第１刺激視標を見せるときには、立体視ディスプレイ１に第１刺激視標を表示すると共に、前記左眼用液晶シャッタを開にすると共に右眼用液晶シャッタを閉にする。また、制御装置２は、被験者の右眼に第２刺激視標を見せるときには、立体視ディスプレイ１に第２刺激視標を表示すると共に、前記右眼用液晶シャッタを開にすると共に左眼用液晶シャッタを閉にする。更に制御装置２は、被験者の両眼に第３刺激視標を見せるときには、立体視ディスプレイ１に第３刺激視標を表示すれば良い。
【００２０】
また、両眼分離方式として偏光方式を採用した場合、立体視メガネ３の左眼部分を左眼用偏光フィルムとし、立体視メガネ３の右眼部分を右眼用偏光フィルムとする。そして、制御装置２は、被験者の左眼に第１刺激視標を見せるときには、前記左眼用偏光フィルムと同じ偏光方向で第１刺激視標を表示させる。また、制御装置２は、被験者の右眼に第２刺激視標を見せるときには、前記右眼用偏光フィルムと同じ偏光方向で第２刺激視標を表示させる。更に、制御装置２は、被験者の両眼に第３刺激視標を見せるときには、前記左眼用偏光フィルム及び右眼用偏光フィルムの偏光方向の両方で第３刺激視標を表示させる。
【００２１】
操作部４は、被験者に操作されるジョイスティック等の方向レバー、マウス、又は方向キー等からなる。操作部４は、前記第３刺激視標が第１刺激視標から第２の刺激視標へ伸びたことを回答する操作又は前記第３刺激視標が第２刺激視標から第１の刺激視標へ伸びたことを回答する操作が行われる。
【００２２】
このような優位眼検査装置において、制御装置２は、図２に示すように、第１刺激視標、第２刺激視標及び第３刺激視標を表示させる。
先ず、図２（ａ）に示すように、制御装置２は、立体視ディスプレイ１の表示範囲１００における、異なる位置に、第１刺激視標１０１と第２刺激視標１０２とを表示する。第１刺激視標は、被験者の左眼のみで視認可能とし、第２刺激視標は、被験者の右眼のみで視認可能とする。
【００２３】
図２（ａ）では、立体視ディスプレイ１に、第１刺激視標１０１と第２刺激視標１０２とを結ぶ中間位置に固視視標１１０を表示している。この固視視標１１０は、被験者の両眼で見ることができるようにする。固視視標１１０を表示するのは、被験者の視覚刺激（意識）を、第１刺激視標１０１と第２刺激視標１０２との中間位置に集中させるためである。したがって、制御装置２は、固視視標１１０を表示しなくても良い。
【００２４】
次に、図２（ｂ）に示すように、制御装置２は、第１刺激視標１０１及び第２刺激視標１０２を結ぶように第３刺激視標１０３を表示させる。この第３刺激視標１０３は、被験者の両眼で視認可能なものである。
【００２５】
すると、被験者は、眼の錯視によって、優位眼で見ている一方の刺激視標から、他方の刺激視標に伸びるように第３刺激視標１０３を認識する。図２（ｃ）に示すように、第１刺激視標１０１を表示していた位置から第２刺激視標１０２を表示していた位置に向けて伸びた量が、第２刺激視標１０２を表示していた位置から第１刺激視標１０１を表示していた位置に向けて伸びた量よりも長い場合、被験者は、第１刺激視標１０１よりも第２刺激視標１０２寄りの衝突点１２０で第３刺激視標１０３が衝突したように錯視する。
【００２６】
第３刺激視標１０３が、第１刺激視標１０１又は第２刺激視標１０２から伸びて見えるのは、優位眼からの視覚刺激と非優位眼からの視覚刺激とが同時に与えられると、優位眼からの視覚刺激の方が脳で早く処理されるためである。このため、第３刺激視標１０３を表示したときに、優位眼に見せている刺激視標から、非優位眼に見せている視覚刺激に向けて、第３刺激視標１０３が伸びてくるように錯視される。
【００２７】
この場合、被験者は、第１刺激視標１０１から第２刺激視標１０２の方向に第３刺激視標１０３が伸びたことを認識して、操作部４を操作する。これによって、測定者は、被験者の優位眼が左眼であることを検査できる。
【００２８】
逆に、被験者の優位眼が右眼である場合、第３刺激視標１０３が、第２刺激視標１０２から第１刺激視標１０１に向けて伸びるように錯視される。このとき、図２（ｃ）における衝突点１２０は、第２刺激視標１０２寄りではなく、第１刺激視標１０１寄りとなる。そして、被験者は、 第２刺激視標１０２から第１刺激視標１０１の方向に第３刺激視標１０３が伸びたことを認識して、操作部４を操作する。これによって、測定者は、被験者の優位眼が右眼であることを検査できる。
【００２９】
この優位眼検査装置において、第１刺激視標１０１及び第２刺激視標１０２は、図３及び図４に示すように、被験者の視点に対して見かけの大きさが同じ表示様式であり、第３刺激視標１０３は、第１刺激視標１０１と第２刺激視標１０２を結ぶ表示様式（補間する表示様式）であることが望ましい（表示様式設定機能）。このとき、図４のように、立体視ディスプレイ１と被験者との距離Ｄ、立体視ディスプレイ１上の被験者の視点正面位置から刺激視標の水平中央までの距離Ｘ（ｘ１、ｘ２）、刺激視標の水平方向の大きさＷ（ｗ１、ｗ２）、視角刺激の水平方向範囲θ、被験者の視点から刺激視標の水平中央への角度φ（φ１、φ２）に基づいて、Ｗ＝Ｄ×（tan（φ＋θ／２）−tan（φ−θ／2））なる演算を行う。これにより、第１刺激視標１０１及び第２刺激視標１０２、第３刺激視標１０３を他の表示様式とするよりも、第３刺激視標１０３が第１刺激視標１０１又は第２刺激視標１０２から伸びるように錯視させて、短時間且つ簡便に被験者の優位眼を検査できる。
【００３０】
なお、制御装置２は、第１刺激視標１０１及び第２刺激視標１０２を表示した後から、第３刺激視標１０３を表示するまでの時間を変更しても良い。すなわち、制御装置２は、第１刺激視標１０１及び第２刺激視標１０２と、第３刺激視標１０３との表示時間間隔を任意に設定できる機能を更に備える。これにより、第１刺激視標１０１及び第２刺激視標１０２を表示した後に、任意の時間間隔で第３刺激視標１０３を表示させることができる。
【００３１】
更に、制御装置２は、第１刺激視標１０１、第２刺激視標１０２及び第３刺激視標１０３の見かけの大きさや色、明るさを変更しても良い。これにより、被験者の視覚刺激量を変更して、視覚感度の個人差に対応できる。例えば、第３刺激視標１０３を表示したときに、第１刺激視標１０１又は第２刺激視標１０２の何れかの方向から伸びたのかが認識できない被験者に対しては、第３刺激視標１０３を表示するまでの時間や、第１刺激視標１０１、第２刺激視標１０２及び第３刺激視標１０３の大きさや色を変更して、より正確に優位眼を検査できる。
【００３２】
以上説明したように、本発明を適用した優位眼検査装置によれば、人間の錯視を利用して優位眼を検査できるので、優位眼を短時間且つ簡便に、被験者の優位眼を診断できる。すなわち、錯視を利用して優位眼を検査することによって、脳の反応を直接診断することができる。
【００３３】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００３４】
１  立体視ディスプレイ
２  制御装置
３  立体視メガネ
４  操作部
１０１  第１刺激視標
１０２  第２刺激視標
１０３  第３刺激視標
１１０  固視視標
１２０  衝突点
【図１】
0005493176.tif 000002
【図２】
0005493176.tif 000003
【図３】
0005493176.tif 000004
【図４】
0005493176.tif 000005